(57)【特許請求の範囲】
【請求項１】
レンタル店や販売店の陳列棚にＣＤやＤＶＤなどを収容したケースを陳列する為の陳列具において、正面側には上記ケースを平置き状態で配置する平置き載置部を有し、該平置き載置部は底板の正面に前板を起立して構成し、上記平置き載置部の後方には縦置き載置部を設けたもので、縦置き載置部の底板は平置き載置部の底板より高い位置に設け、縦置き載置部の底板両側には側板を起立すると共に背後には背板を起立し、そして、上記縦置き載置部の背板と側板との間に連続して形成したＬ形空間のポケットを設けたことを特徴とするＤＶＤケースなどの陳列具。
【請求項２】
上記両側板の間に仕切り板を設けた請求項１記載のＤＶＤケースなどの陳列具。
【請求項３】
上記平置き載置部の前板にはカード挿しを設けた請求項１、又は請求項２記載のＤＶＤケースなどの陳列具。
【請求項４】
陳列棚の底板に固定する為に、底面にはマグネットや両面テープを備えた請求項１、請求項２、又は請求項３記載のＤＶＤケースなどの陳列具。
【発明の詳細な説明】
【技術分野】
【０００１】
本発明はレンタル店や販売店の陳列棚にＣＤやＤＶＤなどを顧客が見易いように、又取出し易いように陳列する為の陳列具に関するものである。ここで、陳列の対象とする商品は特に限定されるものではなく、本や箱形容器に収容する限り本発明の陳列具を利用できる。
【背景技術】
【０００２】
図７は従来の陳列具を陳列棚に配置している状態を表している具体例であり、同図の(イ)は陳列棚、(ロ)は陳列具を表している。陳列棚(イ)はＬ形断面の長尺材を成し、この陳列棚(イ)の底板(ハ)に上記陳列具(ロ)が載置されて、縦板(ニ)に陳列具(ロ)の背板(ホ)が当接した状態で配列している。陳列具(ロ)の形状は図８に示すように、底板(ヘ)と背板(ホ)、正面板(ト)、及び前板(チ)から形成され、背板(ホ)は底板(ヘ)の背後に垂直に起立し、正面板(ト)は底板(ヘ)の正面側に垂直に起立している。そして、前板(チ)は正面板(ト)に接して垂直に起立している。
【０００３】
この陳列具(ロ)は透明又は半透明な樹脂板を曲げ成形して製作され、図７に示すように水平に延びる長い陳列棚(イ)に配列している。そして、この陳列具(ロ)にはＤＶＤを収容しているＤＶＤケース(リ)、(リ)・・が並べられている。しかし、背板(ホ)から正面板(ト)までが隙間なく詰まる枚数分を並べる場合には良いが、２〜３枚のＤＶＤケースであれば倒れてしまうために、背後にコ形の支持具(ヌ)が置かれている。
【０００４】
上記陳列具はＤＶＤケース（リ）の正面を向けて配列する平置き形態であり、店を訪れる客にとっては見易く、目に留まりやすい配列となる。しかし、後方にも重ねて多数枚のＤＶＤケース（リ）、（リ）を配列している場合であれば倒れることはないが、レンタル店であるならば、客が借りて枚数が少なくなれば最前列のＤＶＤケース（リ）が倒れてしまい、客の目に留まり難くなる。勿論、後方に支持具（ヌ）を配置することで倒れ防止にはなるが、それでも１〜２枚になれば図７に示しているように倒れることが多い。
【０００５】
一方、販売店の場合であればメーカーケースに収容された状態で陳列具（ロ）に配列することが出来、時には盗難防止の為にロックされた状態で配列されている。勿論、レンタル用のＤＶＤケースの場合も開かないようにロックされている。しかし、ＤＶＤやビデオのレンタル店ではＤＶＤケースの上端部が突出した状態で陳列ケースに収容されている。従って、陳列具（ロ）に陳列される複数枚のＤＶＤケース（リ）、（リ）・・は全て陳列ケースに入れた状態でその上端部を上方に突出して配列している。
【０００６】
図９は陳列ケース（ル）にＤＶＤを収容すると共にロックされているＤＶＤケース（リ）を収容している場合を示している。その為に、全てのＤＶＤケース（リ）、（リ）・・が収容される陳列ケース（ル）、（ル）・・を準備しなくてはならない。これはレンタル店にとって大きな経済負担となっている。
【０００７】
この陳列方法は出願人の権利である特許第２１３２８６８号公報に記載しているように、「ビデオテープはテープケース(貸出しケース)に入れ、このテープケースはさらに陳列用ケースに収納した状態とし、そして陳列用ケースはその上端を開口した収納口を有し、陳列用ケースに収納した上記テープケースはその上端を収納口から突出し、テープケースの突出部面には『貸出し可能』又はこれに類似する表示であって、貸出すことが出来るビデオテープである旨の表示を設け、そして顧客は陳列用ケースからテープケースを抜き取って借りることが出来ると共に、抜き取られた陳列用ケースは陳列棚にそのまま配列される。」
【特許文献１】特許第２１３２８６８号に係る「ビデオテープの陳列方法及び陳列用ケース」
【発明の開示】
【発明が解決しようとする課題】
【０００８】
このように、従来のＤＶＤケースなどの陳列具には上記のごとき問題がある。本発明が解決しようとする課題はこれら問題点であり、客の目に留まり易いように配列したＤＶＤケースなどが倒れることなく、又、全てのＤＶＤケースが収容される陳列ケースが要らない陳列具を提供する。
【課題を解決するための手段】
【０００９】
本発明に係る陳列具は正面に１枚のケースを平置き状態で配置し、その後方に複数枚のケースが縦置き状態で配列することが出来るように構成している。正面に平置きされるケースの載置部は底板と前板を有し、前板は底板の正面縁にて起立している。そして底板の背面は立ち上がり、平置き載置部の底板より高い位置に縦置き載置部の底板を設けている。
【００１０】
縦置き用底板の両側には側板を垂直に起立し、又背板を有している。側板及び背板は縦置き用底板から連続して起立する必要はなく、縦置きされるケースを支えることが出来ればよい。そして、両側板の間には複数の仕切り板を必要に応じて設けることもある。仕切り板は側板と平行して起立している。一方、背面側又は側面側には背板及び側板との間に空間を有すポケットを形成することもある。
【発明の効果】
【００１１】
本発明に係る陳列具は正面側に平置き用の載置部を設け、その後方に縦置き用の載置部を形成しており、店の陳列棚にマグネットや両面テープを介して固定される。縦置き用載置部には同じタイトルのＣＤやＤＶＤなどを収容したケースを複数枚配列することが出来る。そして、正面の載置部には１枚のケースを平置き状態で配置できる。該陳列具の横幅寸法は陳列されるケースの幅寸法より僅かに大きく成っている為に、該陳列具を陳列棚の底板に配列し、そして各陳列具の正面に設けている平置き用載置部にはケースを平置き状態で配置することが出来る。
【００１２】
そして、その背後の縦置き用載置部には複数枚のケースを縦置き状態で配列することが出来る。従って、客は平置き状態のケースに取付けられているタイトル紙を見て縦置きされているケースを取出して購入することが出来る。又レンタルすることが出来る。レンタル用の陳列具として用いる場合には、従来の陳列用ケース(図９参照)は不要となり、レンタル店にとって経済的負担が軽減される。さらに、平置きされる正面のケースは１枚だけが載置されるように形成しているために縦置きしたケースの枚数が少なくなっても倒れることはなく、客にとって常に見易い状態にある。  
【実施例】
【００１３】
図１、図２、図３は本発明に係る陳列具を表している実施例であり、図１は正面図、図２は平面図、図３は側面からの縦断面図である。該陳列具は樹脂の成形品であり、複数枚のケースを配列することが出来、その内の１枚を平置き状態として正面側に、その他は縦置き状態として背後に配列することが出来る。同図の１は平置き載置部、２は縦置き載置部を表し、平置き載置部１は正面側に設けられて、底板３と正面縁に起立する前板４を有し、縦置き載置部２は平置き載置部１の後方であって高い位置に設けている。
【００１４】
縦置き載置部２は両側板５，５と背板６、及び複数の仕切り板７，７・・を有し、そして仕切り板７，７・・の両側には底板８，８・・・を設けている。上記平置き載置部１の底板３の背後には背板９が起立し、この背板９の上端から傾斜板１０，１０・・が後方へ傾斜して延び、該傾斜板１０，１０・・の後方には上記底板８，８・・が水平に延びて背板６と連結している。
【００１５】
同図の縦置き載置部２の底板８，８・・は間にＤＶＤケースが落下しない大きさの空間１１，１１・・を有しているが、連続した平板として構成することもあり、同じく傾斜板１０も連続した平板とすることも出来る。ところで、図１〜図３の点線はＤＶＤケース１２及び陳列ケース１３を表している。縦置き載置部２には複数枚のＤＶＤケース１２，１２・・が配列され、平置き載置部１には陳列ケース１３に収容されて上端部が突出しているＤＶＤケース１２が配置されている。縦置き載置部２の両側板５，５の間に複数の仕切り板７，７・・を設け、各ＤＶＤケース１２，１２・・は仕切り板７，７・・の間に収容されて配列することが出来る。
【００１６】
平置き載置部１には陳列ケース１３に収容されてその上端部を突出したＤＶＤケース１２が平置き状態で配置され、陳列ケース１３の表面に取付けられているタイトル紙が見えるようになっている。そして、縦置き載置部２に配列されるＤＶＤケース１２，１２・・は縦置き状態となっていて、上記平置き状態で配置したＤＶＤケース１２の背後に位置している。図３では、縦置き状態のＤＶＤケース１２，１２・・の上端は平置き状態のＤＶＤケース１２の上端とほぼ同じ高さとなっているが、平置き状態のＤＶＤケース１２の上端より縦置き載置部２に配列したＤＶＤケース１２，１２・・の上端を高くするように、底板８を高い位置に設けることもある。
【００１７】
ここで、平置きされる平置き載置部１には、上記陳列ケース１３にＤＶＤケース１２を必ずしも収容する必要はなく、縦置きされているＤＶＤケース１２，１２・・に収容されているＤＶＤの内容を明らかにすることが出来ればよい。ところで、客は縦置きされているＤＶＤケース１２を取出して借りることが出来るが、盗難を防止する為に該ＤＶＤケース１２は開かないようにロックされている。そして、このままの状態で店から持ち出すならば、ケース内に貼着しているダグシールが警報装置に反応して警報を発することが出来る。
【００１８】
そこで、貸し出しカウンターにおいてロックを解除した状態で貸し出すことが出来るようにしている。勿論、本発明はＣＤやＤＶＤなどの貸し出しに関して言及するものではなく、ロック状態にないＤＶＤケース１２を陳列具に配列することは店として自由である。
【００１９】
図４は本発明に係る陳列具を示す他の実施例であり、背後にはポケット１４を形成している。このポケット１４にはＤＶＤのタイトル紙を一時的に保管する為に収容することが出来る。メーカーから購入するＤＶＤにはそのケースにタイトル紙が取付けられている。このタイトル紙はケースから一旦取り外されて貸し出し用のＤＶＤケース１２にはＤＶＤだけが収容される。
【００２０】
従来であれば、このタイトル紙は全てが陳列ケース１３に取付けられたが、本発明の陳列具を用いることで多くの陳列ケース１３は不要となり、ＤＶＤケース１３，１３・・だけを縦置き状態で縦置き載置部２に配列することが出来る。従って、不要となったタイトル紙をこのポケット１４に収容して保管し、中古ＣＤとして販売する時にはメーカーケースに再び該タイトル紙を取付ける。
【００２１】
図４の陳列具の背後に設けたポケット１４は背板６との間に空間を形成した形態であるが、片方の側板５の側にも連続して形成することも可能である。タイトル紙はケースの両面に延びる大きさである為に、背板６と側板５とに連続して形成したＬ形空間を持ってポケット１４とする方が便利である。
【００２２】
前記実施例の陳列具の場合には両側板５，５の間に仕切り板７，７・・を等間隔で設け、各仕切り板７，７・・の間にＤＶＤケース１２，１２・・を収容している。しかし、縦置き載置部２には上記仕切り板７，７・・を設けることなく、側板５，５だけとする場合もある。又、仕切り板７，７・・を設けてもその間隔に２〜３枚収容できる大きさとすることもある。
【００２３】
図５は本発明に係る更に別な陳列具の実施例を表している。この陳列具の平置き載置部１の前板４にカード挿し１５を取付けている。該カード挿し１５は陳列されるＤＶＤの宣伝を記載したカードを取付けるためのものであり、必要に応じて前板４に取付けることが出来る。例えば新作のＤＶＤである旨を客に周知させる為に特別に作った宣伝用カードを差込むことが可能である。同図のカード挿し１５は前板４に取付ける構造としているが、該前板４と一体化した構造とすることもある。しかし、着脱可能なカード挿し１５とすることで、必要に応じて前板４に取付けることが出来る。
【００２４】
図６は陳列後の底を表している実施例であるが、本発明の陳列具は前記図７に示すように陳列棚（イ）の底板（ハ）に配列される。そこで、該陳列具の底面にマグネットシート１６を設けることで、該マグネットシート１６の磁気力を介して陳列棚（イ）の底板（ハ）に手軽に固定することが出来る。そして、何時でも取外すことが出来る。勿論、マグネットシート１６に限るものではなく、小さなマグネット片を底に取着してもよく、両面テープを介して底板（ハ）に固定してもよい。
【図面の簡単な説明】
【００２５】
【図１】本発明に係る陳列具の正面図。
【図２】本発明に係る陳列具の平面図。
【図３】本発明に係る陳列具の側面からの縦断面図。
【図４】本発明に係る陳列具の他の実施例。
【図５】前板にカード挿しを取付けた陳列具。
【図６】底にマグネットシートを設けた陳列具。
【図７】従来の陳列具を陳列棚に配列した場合。
【図８】従来の陳列具。
【図９】陳列ケースのＤＶＤケースを収容した場合。
【符号の説明】
【００２６】
１  平置き載置部
２  縦置き載置部
３  底板
４  前板
５  側板
６  背板
７  仕切り板
８  底板
９  背板
10  傾斜板
11  空間
12  ＤＶＤケース
13  陳列ケース
14  ポケット
15  カード挿し
16  マグネットシート
【図１】
0004841999.tif 000002
【図２】
0004841999.tif 000003
【図３】
0004841999.tif 000004
【図４】
0004841999.tif 000005
【図５】
0004841999.tif 000006
【図６】
0004841999.tif 000007
【図７】
0004841999.tif 000008
【図８】
0004841999.tif 000009
【図９】
0004841999.tif 000010